(57)【特許請求の範囲】
【請求項１】
ボトムシャーシと、
前記ボトムシャーシの角部領域に結合されてディスプレイパネルを支持するパネルガイドモジュールと、
前記パネルガイドモジュール及び前記ボトムシャーシと締結されたトップシャーシと
を備えるディスプレイ装置であって、
前記パネルガイドモジュールは、
前記ディスプレイパネルの角部領域を支持する支持板と、
前記支持板の上部に配置された補強リブと、
前記支持板の下部に配置されて、前記ボトムシャーシと結合された固定リブと
を備え、
前記固定リブは、
前記支持板の下部に配置された固定板と、
前記固定板から延び、前記ボトムシャーシと締結された第１リブ及び第２リブと
を備え、
前記第１リブと前記第２リブとは、前記ボトムシャーシを挿入するための空間を有するように第１間隔だけ離隔して配置されており、
前記トップシャーシ、前記ボトムシャーシ及び前記パネルガイドモジュールは、同一の位置に形成される締結孔と、前記締結孔を貫通して連結される締結ねじとによって結合されているディスプレイ装置。
【請求項２】
前記ボトムシャーシ上に配置されたリフレクタと、
前記リフレクタ上に配置され、下部面に少なくとも１つの溝を有する導光板と、
前記導光板の溝内に挿入された光源と、
前記導光板上に配置された光学部材と、  
をさらに備える、請求項１に記載のディスプレイ装置。
【請求項３】
前記支持板は、前記ボトムシャーシと締結するための締結ねじが貫通する少なくとも２個の締結孔を有する、請求項１又は２に記載のディスプレイ装置。
【請求項４】
前記支持板は、
第１辺、第２辺、第３辺及び第４辺を有し、前記補強リブ及び固定リブが配置された第１領域と、
前記第１領域の前記第１辺から延び、前記ボトムシャーシと締結するための締結ねじが貫通する少なくとも１つの締結孔が形成された第２領域と、
前記第１領域の前記第１辺と隣接する前記第２辺から延び、前記ボトムシャーシと締結するための締結ねじが貫通する少なくとも１つの締結孔が形成された第３領域と
を備える、請求項１ないし３のうちのいずれかに記載のディスプレイ装置。
【請求項５】
前記補強リブは、前記支持板の上部表面から突出し、前記支持板の角部領域にマトリックス状に形成されている、請求項１ないし４のうちのいずれかに記載のディスプレイ装置。
【請求項６】
前記ボトムシャーシは、
前記ディスプレイパネルに対向するように配置された底面と、
前記底面から延びて、前記底面の周囲を取り囲む側面と
を備え、
前記側面は、
前記底面の縁部から前記底面に対して垂直な方向に延びる第１セグメントと、
前記第１セグメントの縁部から前記底面と平行な方向に延びている第２セグメントと、
前記第２セグメントの縁部から前記第１セグメントと平行な方向に延びて、前記第１セグメントと対向する第３セグメントと
を備える、請求項１ないし５のうちのいずれかに記載のディスプレイ装置。
【請求項７】
前記第１セグメントの角部領域には、前記パネルガイドモジュールの固定リブと締結される締結溝が形成されている、請求項６に記載のディスプレイ装置。
【請求項８】
前記第２セグメントの角部領域には、前記パネルガイドモジュールの支持板と締結するための締結ねじが貫通する少なくとも２個の締結孔が形成されている、請求項６又は７に記載のディスプレイ装置。
【請求項９】
前記第２セグメントの角部領域には、前記パネルガイドモジュールの支持板の下部が接触している、請求項６ないし８のうちのいずれかに記載のディスプレイ装置。
【請求項１０】
前記第２セグメントの端部は、前記パネルガイドモジュールの支持板の端部と一致する、請求項６ないし９のうちのいずれかに記載のディスプレイ装置。
【請求項１１】
前記第２セグメントの端部は、前記パネルガイドモジュールの支持板の端部から一定間隔だけ離隔して配置されている、請求項６ないし１０のうちのいずれかに記載のディスプレイ装置。
【請求項１２】
前記第２セグメントは、前記第３セグメントと隣接する縁部領域にトップシャーシと締結するための締結部が突出して形成されている、請求項６ないし１１のうちのいずれかに記載のディスプレイ装置。
【請求項１３】
前記第３セグメントの表面は、前記パネルガイドモジュールの支持板の側面と同じ平面上に位置する、請求項６又は１２に記載のディスプレイ装置。
【請求項１４】
前記締結部には、トップシャーシと締結するための締結ねじが貫通する少なくとも一つの締結孔が形成されている、請求項１２に記載のディスプレイ装置。
【請求項１５】
前記支持板の前記第１領域、前記第２領域及び前記第３領域の一部には前記ディスプレイパネルの角部領域が載置されている、請求項４に記載のディスプレイ装置。
【請求項１６】
前記第１リブは前記ボトムシャーシの内側に位置し、前記第２リブは前記ボトムシャーシの外側に位置する、請求項１に記載のディスプレイ装置。
【請求項１７】
前記第１リブの厚さは前記第２リブの厚さよりも厚い、請求項１に記載のディスプレイ装置。
【請求項１８】
前記第１リブと前記第２リブとの間の前記第１間隔は、前記ボトムシャーシの厚さよりも大きい、請求項１６又は１７に記載のディスプレイ装置。
【請求項１９】
前記パネルガイドモジュールは、不飽和ポリエステル（ｐｏｌｙｅｓｔｅｒ）、メチルメタクリレート（ｍｅｔｈｙｌ  ｍｅｔｈａｃｒｙｌａｔｅ）、エチルメタクリレート（ｅｔｈｙｌ  ｍｅｔｈａｃｒｙｌａｔｅ）、イソブチルメタクリレート（ｉｓｏｂｕｔｙｌ  ｍｅｔｈａｃｒｙｌａｔｅ）、ｎ-ブチルメタクリレート（ｎ-ｂｕｔｙｌ  ｍｅｔｈａｃｒｙｌａｔｅ）、アクリル酸（ａｃｒｙｌｉｃ  ａｃｉｄ）、メタクリル酸（ｍｅｔｈａｃｒｙｌｉｃ  ａｃｉｄ）、ヒドロキシエチルメタクリレート（ｈｙｄｒｏｘｙｌ  ｅｔｈｙｌ  ｍｅｔｈａｃｒｙｌａｔｅ）、ヒドロキシプロピルメタクリレート（ｈｙｄｒｏｘｙｌ  ｐｒｏｐｙｌ  ｍｅｔｈａｃｒｙｌａｔｅ）、ヒドロキシエチルアクリレート（ｈｙｄｒｏｘｙｌ  ｅｔｈｙｌ  ａｃｒｙｌａｔｅ）、アクリルアミド（ａｃｒｙｌａｍｉｄｅ）、エチルアクリレート（ｅｔｈｙｌ  ａｃｒｙｌａｔｅ）、イソブチルアクリレート（ｉｓｏｂｕｔｙｌ  ａｃｒｙｌａｔｅ）、ｎ-ブチルアクリレート（ｎ-ｂｕｔｙｌ  ａｃｒｙｌａｔｅ）のうち少なくともいずれか一つである、請求項１ないし４のうちのいずれかに記載のディスプレイ装置。
【請求項２０】
ボトムシャーシと、
前記ボトムシャーシの角部領域に結合されてディスプレイパネルを支持するパネルガイドモジュールを備えるディスプレイ装置であって、
前記パネルガイドモジュールは、
前記ディスプレイパネルの角部領域を支持する支持板と、
前記支持板の上部に配置された補強リブと、
前記支持板の下部に配置されて、前記ボトムシャーシと結合された固定リブと
を備え、
前記固定リブは、
前記支持板の下部に配置された固定板と、
前記固定板から延び、前記ボトムシャーシと締結された第１リブ及び第２リブと
を備え、
前記第１リブと前記第２リブとは、前記ボトムシャーシを挿入するための空間を有するように第１間隔だけ離隔して配置されており、
前記ボトムシャーシは、
前記ディスプレイパネルに対向するように配置された底面と、
前記底面から延びて、前記底面の周囲を取り囲む側面と
を備え、
前記側面は、
前記底面の縁部から前記底面に対して垂直な方向に延びる第１セグメントと、
前記第１セグメントの縁部から前記底面と平行な方向に延びている第２セグメントと、
前記第２セグメントの縁部から前記第１セグメントと平行な方向に延びて、前記第１セグメントと対向する第３セグメントを備えるディスプレイ装置。
【発明の詳細な説明】
【技術分野】
【０００１】
本発明の実施例は、バックライトユニット及びそれを用いたディスプレイ装置に関する。
【背景技術】
【０００２】
一般に、代表的な大型ディスプレイ装置としては、ＬＣＤ（Ｌｉｑｕｉｄ  Ｃｒｙｓｔａｌ  Ｄｉｓｐｌａｙ）、ＰＤＰ（Ｐｌａｓｍａ  Ｄｉｓｐｌａｙ  Ｐａｎｅｌ）などがある。
【０００３】
自発光方式のＰＤＰとは違って、ＬＣＤは自体的な発光素子の不在のため別途のバックライトユニットが必ず必要である。
【０００４】
ＬＣＤに使用されるバックライトユニットは、光源の位置によって、エッジ（ｅｄｇｅ）方式のバックライトユニットと直下方式のバックライトユニットとに区分され、エッジ方式は、ＬＣＤパネルの左右側面または上下側面に光源を配置し、導光板を用いて光を全面に均一に分散させるので、光の均一性が良く、パネル厚さの超薄型化が可能である。
【０００５】
直下方式は、通常２０インチ以上のディスプレイに使用される技術で、パネルの下部に複数個の光源を配置するので、エッジ方式に比べて光効率に優れるという長所を有し、高輝度を要求する大型ディスプレイに主に使用される。
【０００６】
既存のエッジ方式や直下方式のバックライトユニットの光源としては、ＣＣＦＬ（Ｃｏｌｄ  Ｃａｔｈｏｄｅ  Ｆｌｕｏｒｅｓｃｅｎｔ  Ｌａｍｐ）を用いた。
【０００７】
しかし、ＣＣＦＬを用いたバックライトユニットは、常にＣＣＦＬに電源が印加されるので、相当量の電力消耗をもたらし、ＣＲＴに比べて約７０％水準の色再現率、水銀の添加による環境汚染問題などが短所として指摘されている。
【０００８】
上記の問題点を解消するための代替品として、現在、ＬＥＤ（Ｌｉｇｈｔ  Ｅｍｉｔｔｉｎｇ  ｄｉｏｄｅ）を用いたバックライトユニットに対する研究が活発に行われている。
【０００９】
ＬＥＤをバックライトユニットに使用する場合、ＬＥＤアレイの部分的なオン／オフが可能な点から消耗電力を画期的に減少させることができ、ＲＧＢ  ＬＥＤの場合、ＮＴＳＣ（Ｎａｔｉｏｎａｌ  Ｔｅｌｅｖｉｓｉｏｎ  Ｓｙｓｔｅｍ  Ｃｏｍｍｉｔｔｅｅ）色再現範囲仕様の１００％を上回り、より生々しい画質を消費者に提供することができる。
【発明の概要】
【発明が解決しようとする課題】
【００１０】
本発明の実施例は、パネルを支持するパネルガイドモジュールの構造を単純化することによって、重さの軽量化及び製作コストの節減が可能なバックライトユニットを提供する。
【課題を解決するための手段】
【００１１】
本発明の実施例は、ボトムシャーシ（ｂｏｔｔｏｍ  ｃｈａｓｓｉｓ）、及びボトムシャーシの角部領域に結合されてディスプレイパネルを支持するパネルガイドモジュールを備え、パネルガイドモジュールは、ディスプレイパネルの角部領域を支持する支持板と、支持板の上部に配置される補強リブ（ｒｉｂ）と、支持板の下部に配置されて、ボトムシャーシと結合される固定リブとを備えることができる。
【００１２】
ここで、支持板は、ボトムシャーシと締結するための締結ねじが貫通する少なくとも２個の締結孔を有することができる。
【００１３】
そして、支持板は、第１、第２、第３、第４辺を有し、補強リブ及び固定リブが配置される第１領域と、第１領域の第１辺から延び、ボトムシャーシと締結するための締結ねじが貫通する少なくとも一つの締結孔が形成された第２領域と、第１領域の第１辺と隣接する第２辺から延び、ボトムシャーシと締結するための締結ねじが貫通する少なくとも１つの締結孔が形成された第３領域とを備えることができる。
【００１４】
このとき、支持板の第１、第２、第３領域の一部にはディスプレイパネルの角部領域を載置することができ、補強リブは、支持板の上部表面から突出し、支持板の角部領域にマトリックス（ｍａｔｒｉｘ）状に形成されることができる。
【００１５】
そして、固定リブは、支持板の下部に配置される固定板と、固定板から延び、ボトムシャーシと締結される第１、第２リブとを備え、当該第１、第２リブは、ボトムシャーシを挿入するための空間を持つように第１間隔だげ離隔して配置されることができる。
【００１６】
ここで、第１リブはボトムシャーシの内側に位置し、第２リブはボトムシャーシの外側に位置し、第１リブの厚さは第２リブの厚さよりも厚くすることができる。
【００１７】
また、第１、第２リブ間の第１間隔は、ボトムシャーシの厚さよりも大きくすることもできる。
【００１８】
次に、ボトムシャーシは、ディスプレイパネルに対向するように配置される底面と、底面から延びて底面の周囲を取り囲む側面とを備え、側面は、底面の縁部から底面に対して垂直な方向に延びる第１セグメント（ｓｅｇｍｅｎｔ）と、第１セグメントの縁部から底面と平行な方向に延びる第２セグメントと、第２セグメントの縁部から第１セグメントと平行な方向に延びて、第１セグメントと対向する第３セグメントとを備えることができる。
【００１９】
ここで、第１セグメントの角部領域には、パネルガイドモジュールの固定リブと締結される締結溝が形成され、第２セグメントの角部領域には、パネルガイドモジュールの支持板と締結するための締結ねじが貫通する少なくとも２個の締結孔が形成されることができる。
【００２０】
そして、第２セグメントの角部領域には、パネルガイドモジュールの支持板の下部が接触されることができ、第２セグメントの端部は、パネルガイドモジュールの支持板の端部と一致したり、または第２セグメントの端部から一定間隔だけ離隔して配置されることもできる。
【００２１】
次に、第２セグメントは、第３セグメントと隣接する縁部領域にトップシャーシ（ｔｏｐ  ｃｈａｓｓｉｓ）と締結するための締結部が突出して形成されることができ、締結部には、トップシャーシと締結するための締結ねじが貫通する少なくとも一つの締結孔が形成されることができる。
【発明の効果】
【００２２】
本発明の実施例は、パネルガイドモジュールを４個のピースに構造を変形して、ボトムシャーシの角部に簡単に結合させることによって、全体的なバックライトユニットの構造を単純化して、組立性が容易で、バックライトユニットの重さを最小化することができるだけでなく、材料費及び金型費を節減することができる。
【図面の簡単な説明】
【００２３】
【図１】本発明の一実施例に係るバックライトユニットを示す図である。
【図２】本発明の一実施例に係るバックライトユニットを示す図である。
【図３Ａ】図１のパネルガイドモジュールを詳細に示す図である。
【図３Ｂ】図１のパネルガイドモジュールを詳細に示す図である。
【図４】図１のボトムシャーシを示す図である。
【図５】図４のボトムシャーシの角部領域Ａを詳細に示す図である。
【図６】ボトムシャーシの角部領域に締結されるパネルガイドモジュールを示す図である。
【図７】ボトムシャーシの角部領域に締結されるパネルガイドモジュールを示す図である。
【図８】ボトムシャーシの角部領域に締結されるパネルガイドモジュールを示す図である。
【図９】本発明の一実施例に係るバックライトユニットを有するディスプレイモジュールを示す図である。
【図１０】本発明の一実施例に係るディスプレイ装置を示す図である。
【図１１】本発明の一実施例に係るディスプレイ装置を示す図である。
【発明を実施するための形態】
【００２４】
以下、各実施例を添付の図面を参照して説明する。
【００２５】
本発明の実施例の説明において、各構成要素の「上（の上）または下（の下）（ｏｎ  ｏｒ  ｕｎｄｅｒ）」に形成されるという記載は、二つの構成要素が互いに直接（ｄｉｒｅｃｔｌｙ）接触して形成される場合、これらの二つの構成要素の間に一つ以上の別の構成要素が介在して（ｉｎｄｉｒｅｃｔｌｙ）形成される場合のいずれをも含むことができる。
【００２６】
また、「上（の上）または下（の下）（ｏｎ  ｏｒ  ｕｎｄｅｒ）」と表現される場合、一つの構成要素を基準に上側方向だけでなく、下側方向の意味も含むことができる。を指し示すこともできる。
【００２７】
図１及び図２は、本発明の一実施例に係るバックライトユニットを示す図で、図１は平面図であり、図２は断面図である。
【００２８】
図１は、トップシャーシを除去したバックライトユニットを示す平面図であり、図２は、トップシャーシを含んだバックライトユニットを示す断面図である。
【００２９】
図１及び図２に示すように、バックライトユニットは、ボトムシャーシ１０及びパネルガイドモジュール２０を含むことができる。
【００３０】
ここで、パネルガイドモジュール２０は、ボトムシャーシ１０の角部領域に結合されてディスプレイパネル３０を支持することができる。
【００３１】
そして、パネルガイドモジュール２０は、ディスプレイパネル３０の角部領域を支持する支持板２２を含むことができる。
【００３２】
また、ボトムシャーシ１０上には、リフレクタ４０（ｒｅｆｌｅｃｔｏｒ）が配置されることができ、リフレクタ４０上には導光板６０が配置されることができる。
【００３３】
ここで、導光板６０は、下部面に少なくとも一つの溝を有することができ、溝の断面形状は、四角形、半球形、三角錐形、四角錐形、多角錐形、円錐形であってもよい。
【００３４】
次に、導光板６０の溝内には光源５０が挿入されることができ、導光板６０上には光学部材７０が配置されることができる。
【００３５】
ここで、光源５０は、基板と、基板上に配置される少なくとも一つの発光素子とを含むことができ、基板および発光素子がいずれも導光板６０の溝内部に配置されることもでき、基板は導光板６０の溝外部に配置され、発光素子は導光板６０の溝内部に配置されることもできる。
【００３６】
そして、ボトムシャーシ１０の縁部領域のうち角部領域にパネルガイドモジュール２０が配置され、ディスプレイパネル３０は、パネルガイドモジュール２０の支持板２２上に載置されることができる。
【００３７】
次に、トップシャーシ８０は、パネルガイドモジュール２０及びボトムシャーシ１０の側面を取り囲み、締結ねじ８２によってパネルガイドモジュール２０及びボトムシャーシ１０と締結されることができる。
【００３８】
すなわち、トップシャーシ８０、ボトムシャーシ１０及びパネルガイドモジュール２０は、同一の位置に形成される締結孔と、締結孔を貫通して連結される締結ねじ８２とによって結合されることができる。
【００３９】
このように構成されるバックライトユニットにおいて、リフレクタ４０は、金属または金属酸化物のうち少なくとも一つを含むことができ、例えば、アルミニウム（Ａｌ）、銀（Ａｇ）、金（Ａｕ）または二酸化チタニウム（ＴｉＯ２）のように高い反射率を有する金属または金属酸化物を含んで構成されることができる。
【００４０】
そして、導光板６０は、ＰＭＭＡ（Ｐｏｌｙｍｅｔｈｙｌｍｅｔｈａｃｒｙｌａｔｅ）のようなアクリル樹脂系列、ＰＥＴ（Ｐｏｌｙｅｔｈｙｌｅｎｅ  ｔｅｒｅｐｈｔｈｌａｔｅ）、ＣＯＣ（Ｃｙｃｌｉｃ  Ｏｌｅｆｉｎ  Ｃｏｐｏｌｙｍｅｒｓ）、ＰＥＮ（Ｐｏｌｙｅｔｈｙｌｅｎｅｎａｐｈｔｈａｌａｔｅ）、ＰＣ（Ｐｏｌｙｃａｒｂｏｎａｔｅ）、ＰＳ（Ｐｏｌｙｓｔｙｒｅｎｅ）、及びＭＳ（Ｍａｔｈａｃｙｌａｔｅ  ｓｔｙｒｅｎｅ）樹脂のうちいずれか一つであると良い。
【００４１】
次に、光源５０の発光素子は、上面発光型（ｔｏｐ  ｖｉｅｗ  ｔｙｐｅ）発光ダイオードであっても良く、場合によって、発光素子は、側面発光型（ｓｉｄｅ  ｖｉｅｗ  ｔｙｐｅ）発光ダイオードであっても良い。
【００４２】
このように、発光素子は、発光ダイオードチップ（ＬＥＤ  ｃｈｉｐ）であり、発光ダイオードチップは、ブルーＬＥＤチップまたは紫外線ＬＥＤチップで構成されたり、又は、レッドＬＥＤチップ、グリーンＬＥＤチップ、ブルーＬＥＤチップ、イエローグリーン（Ｙｅｌｌｏｗ  ｇｒｅｅｎ）ＬＥＤチップ、ホワイトＬＥＤチップのうち少なくとも一つまたはそれ以上を組み合わせたパッケージ形態で構成されることもできる。
【００４３】
ここで、ホワイトＬＥＤは、ブルーＬＥＤ上にイエローりん光（Ｙｅｌｌｏｗ  ｐｈｏｓｐｈｏｒ）を結合したり、またはブルーＬＥＤ上にレッドりん光（Ｒｅｄ  ｐｈｏｓｐｈｏｒ）とグリーンりん光（Ｇｒｅｅｎ  ｐｈｏｓｐｈｏｒ）を同時に使用して具現することができ、ブルーＬＥＤ上にイエローりん光（Ｙｅｌｌｏｗ  ｐｈｏｓｐｈｏｒ）、レッドりん光（Ｒｅｄ  ｐｈｏｓｐｈｏｒ）及びグリーンりん光（Ｇｒｅｅｎ  ｐｈｏｓｐｈｏｒ）を同時に使用して具現することもできる。
【００４４】
次に、光学部材７０は、導光板６０を通じて出射する光を拡散させるためのもので、拡散効果を増加させるために上部表面に凹凸パターンを形成することができる。
【００４５】
また、光学部材７０は、複数の層で形成することができ、凹凸パターンは、最上層またはいずれか一つの層の表面に有することができる。
【００４６】
次に、凹凸パターンは、光源５０に沿って配置されるストライプ状を有することができる。
【００４７】
この時、凹凸パターンは、光学部材７０の表面に突出部を有し、突出部は、互いに対向する第１面と第２面で構成され、第１面と第２面との間の角は鈍角または鋭角とすることができる。
【００４８】
場合によって、光学部材７０は、少なくとも一つのシートからなり、拡散シート、プリズムシート、輝度強化シートなどを選択的に含むことができる。
【００４９】
ここで、拡散シートは、光源から出射した光を拡散させ、プリズムシートは、拡散した光を発光領域にガイドし、輝度拡散シートは、輝度を強化させる。
【００５０】
図３Ａ及び図３Ｂは、図１のパネルガイドモジュールを詳細に示す図で、図３Ａは、パネルガイドモジュールの上部面を示す斜視図であり、図３Ｂは、パネルガイドモジュールの下部面を示す斜視図である。
【００５１】
図３Ａ及び図３Ｂに示すように、パネルガイドモジュール２０は、支持板２２と補強リブ２８と固定リブ２４とを含むことができる。
【００５２】
ここで、支持板２２は、ディスプレイパネル（図１の３０）の角部領域を支持し、補強リブ２８は、支持板２２の上部に配置されて、支持板２２の反りを防止することができる。
【００５３】
また、固定リブ２４は、支持板２２の下部に配置されて、ボトムシャーシ（図１の１０）と結合されることができる。
【００５４】
そして、支持板２２は、ボトムシャーシ（図１の１０）と締結するための締結ねじ（図２の８２）が貫通する少なくとも２個の締結孔２６を含むことができる。
【００５５】
ここで、支持板２２は、第１領域と、第２領域と、第３領域とに分けられる。
【００５６】
支持板２２の第１領域は、補強リブ２８及び固定リブ２４が配置される領域として、第１、第２、第３、第４辺である４個の辺を有することができる。
【００５７】
この時、第１辺と第３辺、そして第２辺と第４辺は、互いに対向するように配置され、第１辺と第２辺、そして第３辺と第４辺は、互いに隣接して配置されることができる。
【００５８】
支持板２２の第２領域は、第１領域の第１辺から延び、ボトムシャーシ（図１の１０）と締結するための締結ねじ（図２の８２）が貫通する少なくとも一つの締結孔２６が形成されることができる。
【００５９】
そして、支持板２２の第３領域は、第１領域の第１辺と隣接する第２辺から延び、ボトムシャーシ（図１の１０）と締結するための締結ねじ（図２の８２）が貫通する少なくとも一つの締結孔２６が形成されることができる。
【００６０】
このように、支持板２２を構成する第１、第２、第３領域の一部には、ディスプレイパネル（図１の３０）の角部領域が載置されることができる。
【００６１】
次に、補強リブ２８は、支持板２２の上部表面から突出し、支持板２２の角部領域にマトリックス状に形成されることができる。
【００６２】
また、固定リブ２４は、第１、第２リブ２４ａ、２４ｂ及び固定板２４ｃを含むことができる。
【００６３】
ここで、固定板２４ｃは支持板２２の下部面に接触して配置され、第１、第２リブ２４ａ、２４ｂは固定板２４ｃから延びて、ボトムシャーシ（図１の１０）と締結されることができる。
【００６４】
このとき、第１、第２リブ２４ａ、２４ｂは、ボトムシャーシ（図１の１０）を挿入するための空間を持つように第１間隔だけ離隔して配置されることができる。
【００６５】
第１、第２リブ２４ａ、２４ｂ間の第１間隔は、ボトムシャーシ（図１の１０）の厚さよりも大きくすることができる。
【００６６】
これは、固定リブ２４がボトムシャーシと結合されるとき、ボトムシャーシの側面が第１、第２リブ２４ａ、２４ｂ間の第１間隔に円滑に挿入されるようにするためである。
【００６７】
そして、固定リブ２４がボトムシャーシと結合されるとき、固定リブ２４の第１リブ２４ａはボトムシャーシの内側に位置することができ、固定リブ２４の第２リブ２４ｂはボトムシャーシの外側に位置することができる。
【００６８】
また、固定リブ２４がボトムシャーシと安定的に結合され得るように、第１リブ２４ａの厚さは第２リブ２４ｂの厚さよりも厚くすることができる。
【００６９】
そして、パネルガイドモジュール２０は、射出成形が可能なプラスチックなどの高分子樹脂で製作することができる。
【００７０】
例えば、パネルガイドモジュール２０は、不飽和ポリエステル（ｐｏｌｙｅｓｔｅｒ）、メチルメタクリレート（ｍｅｔｈｙｌ  ｍｅｔｈａｃｒｙｌａｔｅ）、エチルメタクリレート（ｅｔｈｙｌ  ｍｅｔｈａｃｒｙｌａｔｅ）、イソブチルメタクリレート（ｉｓｏｂｕｔｙｌ  ｍｅｔｈａｃｒｙｌａｔｅ）、ｎ-ブチルメタクリレート（ｎ-ｂｕｔｙｌ  ｍｅｔｈａｃｒｙｌａｔｅ）、アクリル酸（ａｃｒｙｌｉｃ  ａｃｉｄ）、メタクリル酸（ｍｅｔｈａｃｒｙｌｉｃ  ａｃｉｄ）、ヒドロキシエチルメタクリレート（ｈｙｄｒｏｘｙｌ  ｅｔｈｙｌ  ｍｅｔｈａｃｒｙｌａｔｅ）、ヒドロキシプロピルメタクリレート（ｈｙｄｒｏｘｙｌ  ｐｒｏｐｙｌ  ｍｅｔｈａｃｒｙｌａｔｅ）、ヒドロキシエチルアクリレート（ｈｙｄｒｏｘｙｌ  ｅｔｈｙｌ  ａｃｒｙｌａｔｅ）、アクリルアミド（ａｃｒｙｌａｍｉｄｅ）、エチルアクリレート（ｅｔｈｙｌ  ａｃｒｙｌａｔｅ）、イソブチルアクリレート（ｉｓｏｂｕｔｙｌ  ａｃｒｙｌａｔｅ）、ｎ-ブチルアクリレート（ｎ-ｂｕｔｙｌ  ａｃｒｙｌａｔｅ）のうち少なくともいずれか一つであると良い。
【００７１】
このように、パネルガイドモジュール２０は、“Ｌ”字状を有する４個のピースに製作されて、ボトムシャーシの四つの角部領域に装着されるので、ディスプレイパネルを安定的に支持することができる。
【００７２】
図４は、図１のボトムシャーシを示す図であり、図５は、図４のボトムシャーシの角部領域Ａを詳細に示す図である。
【００７３】
図４及び図５に示すように、ボトムシャーシ１０は、ディスプレイパネル（図１の３０）に対向するように配置される底面１４と、底面１４から延びて、底面１４の周囲を取り囲む第１、第２、第３、第４側面１１ａ、１１ｂ、１１ｃ、１１ｄを含むことができる。
【００７４】
ボトムシャーシ１０の底面１４は、４個の第１、第２、第３、第４辺を有し、第１側面１１ａは底面１４の第１辺から延び、第２側面１１ｂは底面１４の第２辺から延び、第３側面１１ｃは底面１４の第３辺から延び、第４側面１１ｄは底面１４の第４辺から延びることができる。
【００７５】
ここで、ボトムシャーシ１０の各側面は、第１、第２、第３セグメントで構成されることができる。
【００７６】
第１セグメント１１−３は、底面１４の縁部から底面１４に対して垂直な方向に延び、第２セグメント１１−２は、第１セグメント１１−３の縁部から底面１４と平行な方向に延びることができる。
【００７７】
次に、第３セグメント１１−１は、第２セグメント１１−２の縁部から第１セグメント１１−３と平行な方向に延びて、第１セグメント１１−３と対向することができる。
【００７８】
そして、第１セグメント１１−３の角部領域には、パネルガイドモジュール（図１の２０）の固定リブ（図３Ａの２４）と締結される締結溝１５が形成されることができる。
【００７９】
次に、第２セグメント１１−２の角部領域には、パネルガイドモジュール（図１の２０）の支持板（図３Ａの２２）と締結するための締結ねじ（図１の８２）が貫通する少なくとも２個の締結孔１３が形成されることができる。
【００８０】
また、第２セグメント１１−２は、第３セグメント１１−１と隣接する縁部領域に、トップシャーシ（図１の８０）と締結するための締結部１２が突出して形成されることができる。
【００８１】
ここで、締結部１２には、トップシャーシ（図１の８０）と締結するための締結ねじが貫通する少なくとも一つの締結孔が追加に形成されることもできる。
【００８２】
このとき、締結部１２は、ボトムシャーシの第１、第２、第３、第４側面１１ａ、１１ｂ、１１ｃ、１１ｄのいずれにおいても、少なくとも一つが形成されることができるが、場合によっては、互いに対向する二つの側面にのみ形成されることもできる。
【００８３】
図６乃至図８は、ボトムシャーシの角部領域に締結されるパネルガイドモジュールを示す図で、図６は、ボトムシャーシの角部領域に締結されるパネルガイドモジュールの上部面を示す斜視図であり、図７は、ボトムシャーシの角部領域に締結されるパネルガイドモジュールの下部面を示す斜視図であり、図８は、ボトムシャーシの角部領域に締結されるパネルガイドモジュールの上部面を示す平面図である。
【００８４】
図６乃至図８に示すように、ボトムシャーシ１０の側面のうち、第２セグメント１１−２の角部領域には、パネルガイドモジュール２０の支持板２２の下部が接触することができる。
【００８５】
そして、パネルガイドモジュール２０の固定リブ２４は、ボトムシャーシ１０の側面の角部領域に締結されることができる。
【００８６】
すなわち、固定リブ２４の第１、第２リブ２４ａ、２４ｂ間の空間にボトムシャーシ１０の側面の第１セグメント１１−３が挿入されることによって、ボトムシャーシ１０とパネルガイドモジュール２０とが結合されることができる。
【００８７】
また、パネルガイドモジュール２０の支持板２２が、ボトムシャーシ１０の側面のうち、第２セグメント１１−２の角部領域上に配置されるとき、第２セグメント１１−２の端部がパネルガイドモジュール２０の支持板２２の端部と一致したり、またはパネルガイドモジュール２０の支持板２２の端部から一定間隔だけ離隔して配置されることができる。
【００８８】
すなわち、図６に示すように、パネルガイドモジュール２０の支持板２２は、第２セグメント１１−２の端部から間隔ｄ１だけ離隔して配置されることができる。
【００８９】
場合によっては、パネルガイドモジュール２０の支持板２２は、第２セグメント１１−２の端部と一致することもできる。
【００９０】
このとき、パネルガイドモジュール２０の支持板２２の側面と第３セグメント１１−１の表面は、同じ平面上に位置することができる。
【００９１】
そして、パネルガイドモジュール２０の支持板２２に形成される締結孔２６は、トップシャーシ（図２の８０）の締結孔およびボトムシャーシ（図２の１０）の締結孔と同一の位置に形成され、各締結孔を貫通して連結される締結ねじによって、パネルガイドモジュール（図２の２０）、トップシャーシ（図２の８０）、及びボトムシャーシ（図２の１０）は同時に結合されることができる。
【００９２】
このように、パネルガイドモジュール２０は、“Ｌ”字状を有する４個のピースに製作されて、ボトムシャーシの四つの角部領域に装着されるので、ディスプレイパネルを安定的に支持することができる。
【００９３】
したがって、パネルガイドモジュールをボトムシャーシの角部に簡単に結合させることができるので、全体的なバックライトユニットの構造を単純化して、組立性が容易で、バックライトユニットの重さを最小化することができるだけでなく、材料費及び金型費を節減することができる。
【００９４】
図９は、本発明の一実施例に係るバックライトユニットを有するディスプレイモジュールを示す図である。
【００９５】
図９に示すように、ディスプレイモジュール２００は、ディスプレイパネル９０及びバックライトユニット１００を含むことができる。
【００９６】
ディスプレイパネル９０は、互いに対向して、均一なセルギャップが維持されるように合着されたカラーフィルター基板９１及びＴＦＴ（Ｔｈｉｎ  Ｆｉｌｍ  Ｔｒａｎｓｉｓｔｏｒ）基板９２を含み、二つの基板９１，９２の間に液晶層（図示せず）を介在することができる。
【００９７】
カラーフィルター基板９１は、レッド（Ｒ）、グリーン（Ｇ）及びブルー（Ｂ）のサブピクセルからなる複数のピクセルを含み、光が印加される場合、レッド、グリーンまたはブルーの色に該当するイメージを発生させることができる。
【００９８】
各ピクセルは、レッド、グリーン及びブルーのサブピクセルで構成されることができるが、これに特に限定されず、レッド、グリーン、ブルー及びホワイト（Ｗ）のサブピクセルが一つのピクセルを構成することもできる。
【００９９】
ＴＦＴ基板９２は、各スイッチング素子が形成された素子で、画素電極（図示せず）をスイッチングすることができる。
【０１００】
例えば、共通電極（図示せず）及び画素電極は、外部から印加される所定電圧によって液晶層の各分子の配列を変化させることができる。
【０１０１】
液晶層は、複数の液晶分子からなっており、これら液晶分子は、画素電極と共通電極との間に発生した電圧差に相応してその配列を変化させる。
【０１０２】
これによって、バックライトユニット１００から提供される光は、液晶層の分子配列の変化に相応してカラーフィルター基板９１に入射することができる。
【０１０３】
そして、ディスプレイパネル９０の上側及び下側にはそれぞれ、上部偏光板９３及び下部偏光板９４を配置することができ、より詳細には、カラーフィルター基板９１の上面に上部偏光板９３を配置し、ＴＦＴ基板９２の下面に下部偏光板９４を配置することができる。
【０１０４】
図示していないが、ディスプレイパネル９０の側面には、ディスプレイパネル９０を駆動させるための駆動信号を生成するゲート及びデータ駆動部を具備することができる。
【０１０５】
図９に示すように、ディスプレイモジュール２００は、ディスプレイパネル９０にバックライトユニット１００を密着して配置することによって構成することができる。
【０１０６】
例えば、バックライトユニット１００は、ディスプレイパネル９０の下側面、より詳細には、下部偏光板９４に接着して固定することができ、そのために、下部偏光板９４とバックライトユニット１００との間に接着層（図示せず）を形成することができる。
【０１０７】
このように、バックライトユニット１００をディスプレイパネル９０に密着して形成することによって、ディスプレイ装置の全体厚さを減少させ、外観を改善することができ、バックライトユニット１００を固定するための追加の構造物が除去されて、ディスプレイ装置の構造及び製造工程を単純化することができる。
【０１０８】
また、バックライトユニット１００とディスプレイパネル９０との間の空間を除去することによって、該空間への異物の浸透によるディスプレイ装置の誤動作またはディスプレイ映像の画質低下を防止することができる。
【０１０９】
図１０及び図１１は、実施例によるディスプレイ装置を示す図である。
【０１１０】
まず、図１０に示すように、ディスプレイ装置１は、ディスプレイモジュール２００と、ディスプレイモジュール２００を取り囲むフロントカバー３００及びバックカバー３５０と、バックカバー３５０に具備された駆動部５５０と、駆動部５５０を覆う駆動部カバー４００と、で構成されることができる。
【０１１１】
フロントカバー３００は、光を透過させる透明な材質の前面パネル（図示せず）を含むことができ、前面パネルは、一定の間隔を置いてディスプレイモジュール２００を保護し、ディスプレイモジュール２００から放出される光を透過させて、ディスプレイモジュール２００に表示される映像が外部から見えるようにする。
【０１１２】
また、フロントカバー３００は、窓（３００ａ）のない平板に製作することができる。
【０１１３】
この場合、フロントカバー３００は、光を透過させる透明な材質、一例として、射出成形したプラスチックで製作することができる。
【０１１４】
このように、フロントカバー３００を平板に形成すると、フロントカバー３００からフレームを除去することができる。
【０１１５】
バックカバー３５０は、フロントカバー３００と結合してディスプレイモジュール２００を保護することができる。
【０１１６】
バックカバー３５０の一面には駆動部５５０を配置することができる。
【０１１７】
駆動部５５０は、駆動制御部５５０ａ、メインボード５５０ｂ及び電源供給部５５０ｃを含むことができる。
【０１１８】
駆動制御部５５０ａは、タイミングコントローラ（ｔｉｍｉｎｇ  ｃｏｎｔｒｏｌｌｅｒ）であると良く、ディスプレイモジュール２００の各ドライバーＩＣの動作タイミングを調節する駆動部であり、メインボード５５０ｂは、タイミングコントローラにＶシンク、Ｈシンク及びＲ、Ｇ、Ｂ解像度信号を伝達する駆動部であり、電源供給部５５０ｃは、ディスプレイモジュール２００に電源を印加する駆動部であると良い。
【０１１９】
駆動部５５０はバックカバー３５０に具備されて、駆動部カバー４００によって覆われることができる。
【０１２０】
バックカバー３５０には、複数の孔が具備されて、ディスプレイモジュール２００と駆動部５５０が連結されることができ、ディスプレイ装置１を支持するスタンド６００が具備されることができる。
【０１２１】
次に、図１１に示したように、駆動部５５０の駆動制御部５５０ａはバックカバー３５０に具備され、メインボード５５０ｂ及び電源ボード５５０ｃはスタンド６００に具備されることもできる。
【０１２２】
そして、駆動部カバー４００は、バックカバー３５０に具備された駆動部５５０のみを覆うことができる。
【０１２３】
本実施例では、メインボード５５０ｂと電源ボード５５０ｃをそれぞれ別途に構成したが、これに限定されず、一つの統合ボードで構成することもできる。
【０１２４】
また他の実施例は、上述した各実施例に記載したボトムシャーシ、パネルガイドモジュール、リフレクタ、及び光源を含む表示装置、指示装置、照明システムで具現されることができ、例えば、照明システムは、ランプ、街灯を含むことができる。
【０１２５】
このような照明システムは、多数のＬＥＤを集束して光を得る照明灯として使用可能なものであって、特に、建物の天井や壁体内に埋め込まれて、シェードの開口部側が露出するように装着され得るようにする埋込灯（ダウンライト）として利用することができる。
【０１２６】
このように、本実施例は、パネルガイドモジュールを４個のピースに構造を変形して、ボトムシャーシの角部に簡単に結合させることによって、全体的なバックライトユニットの構造を単純化して、組立性が容易で、バックライトユニットの重さを最小化することができるだけでなく、材料費及び金型費を節減することができる。
【０１２７】
以上では種々の実施例に挙げて本発明を説明してきたが、本発明の精神及び範囲を逸脱しない限度内で種々の変形及び修正が可能であるということは、当該技術の分野における通常の知識を有する当業者にとっては明らかである。特に、本発明の詳細な説明、図面及び添付の請求項の範囲内で構成要素及び／またはその組み合わせの様々な変形及び修正が可能である。これら構成要素及び／またはその組み合わせの様々な変形及び修正に加えて、その他の利用が当業者には明らかである。
【図１】
0006042072.tif 000002
【図２】
0006042072.tif 000003
【図３Ａ】
0006042072.tif 000004
【図３Ｂ】
0006042072.tif 000005
【図４】
0006042072.tif 000006
【図５】
0006042072.tif 000007
【図６】
0006042072.tif 000008
【図７】
0006042072.tif 000009
【図８】
0006042072.tif 000010
【図９】
0006042072.tif 000011
【図１０】
0006042072.tif 000012
【図１１】
0006042072.tif 000013